(57)【要約】【課題】踏み割れが生じる危険性を低減しつつ、高い強度で屋根の端縁を保持し、屋根材の浮き上がりを充分に抑制することができる耐風クリップを提供する。【解決手段】屋根材２の上に固定される固定ベース３と、前記屋根材２の上に重ねて設置される他の屋根材２の端縁と係合する係合部５を備える係合具４とで構成される。前記固定ベース３は、固着具挿通孔６が設けられ、且つ前記係合具４を、この係合具４が前記固着具挿通孔６の上方に重ねて配置された状態と、この係合具４が固着具挿通孔６の上方に配置されていない状態との間でスライド自在に支持するものである。前記係合具４は、下面から下方に突出するリブ７を備え、前記リブ７は、係合具４が前記固着具挿通孔６の上方に重ねて配置された状態で固着具挿通孔６と重ならない位置に形成されている。【選択図】図１
2009161952.tif 000002
【特許請求の範囲】
【請求項１】
屋根材の上に固定される固定ベースと、前記屋根材の上に重ねて設置される他の屋根材の端縁と係合する係合部を備える係合具とで構成され、
前記固定ベースは、固着具挿通孔が設けられ、且つ前記係合具を、この係合具が前記固着具挿通孔の上方に重ねて配置された状態と、この係合具が固着具挿通孔の上方に配置されていない状態との間でスライド自在に支持するものであり、
前記係合具は、下面から下方に突出するリブを備え、前記リブは、係合具が前記固着具挿通孔の上方に重ねて配置された状態で固着具挿通孔と重ならない位置に形成されていることを特徴とする耐風クリップ。
【請求項２】
上記係合具に、この係合具が上記固着具挿通孔の上方に重ねて配置された状態で上記固定ベースの後端に係止される係止部が設けられていることを特徴とする請求項１に記載の耐風クリップ。
【請求項３】
請求項１又は２に記載の耐風クリップを用いた屋根材の設置構造であって、
前記耐風クリップの固定ベースが屋根材の上面に配置された状態で固着具が固着具挿通孔に挿通されると共に屋根材側に打入され、
上記係合具が前記固着具挿通孔の上方に配置された状態となることで固着具が前記係合具に覆われ、
前記屋根材の上に他の屋根材が耐風クリップの上に重ねて設置されると共にこの他の屋根材の端縁に係合具の係合部が係合されていることを特徴とする耐風クリップを用いた屋根材の設置構造。
【発明の詳細な説明】
【技術分野】
【０００１】
本発明は、屋根材の浮き上がりを防止するために屋根材の端縁に係合する耐風クリップ、及びこの耐風クリップを用いた屋根材の設置構造に関する。
【背景技術】
【０００２】
海岸沿いや山麓など、強風環境下に建てられた建物では、屋根の屋根材（亙等）が風に煽られて浮き上がることを防止するために、耐風クリップを使用することがある（特許文献１参照）。
【０００３】
図６に従来の耐風クリップ１’の設置例を示す。図示の例では、屋根材２を設置するにあたり、複数の屋根材２を軒棟方向と直交する方向に一列に配置する（図６（ａ）参照）。この屋根材２を釘等の固着具９で固着するにあたっては、各屋根材２に横方向に並んで四個設けられた固着孔１０のうち、内側の二つの固着孔１０と耐風クリップ１’の固着具挿通孔６’とを位置合わせして、前記屋根材２の上に耐風クリップ１’を配置し、各固着具挿通孔６’と固着孔１０を通して屋根下地に固着具９を打入する。これにより、屋根材２を固定すると共に屋根材２上に耐風クリップ１’を固定する（図６（ｂ）参照）。次に、前記設置された屋根材２の棟側に別の複数の屋根材２を、軒側の屋根材２の棟側部分の上に棟側の屋根材２の軒側部分が重なるように配置すると共に、軒側の屋根材２に対して棟側の屋根材２の配置位置を横方向にずらして千鳥状に配置し、棟側の屋根材２の軒側端部に耐風クリップ１’の係合部５’を係合する（図６（ｃ）参照）。
【０００４】
このような動作を繰り返すことにより、屋根材２が設置されると共にこの屋根材２の軒側端縁に係合する耐風クリップ１’が設置される。
【特許文献１】特開２００３−３６１３号公報
【発明の開示】
【発明が解決しようとする課題】
【０００５】
しかし、このように耐風クリップ１’を設置しながら屋根材２の設置を行う場合、釘等の固着具９で固定された耐風クリップ１’が、屋根材２同士の間に介在することになる。このとき、釘等の固着具９の頭部は固定ベース３から上方に突出するため、屋根材２の設置を行う作業者が設置済みの屋根材２の上を移動する際に固着具９の頭部の配置位置を踏みしめると、屋根材２に踏み割れが生じるおそれがある。
【０００６】
また、耐風クリップの強度向上のために耐風クリップに補強リブを設けることも行われているが、この場合も耐風クリップから突出する補強リブによって屋根材にかかる応力が大きくなり、踏み割れが生じやすくなる場合がある。
【０００７】
本発明は上記の点に鑑みてなされたものであり、踏み割れが生じる危険性を低減しつつ、高い強度で屋根の端縁を保持し、屋根材の浮き上がりを充分に抑制することができる耐風クリップ、及びこの耐風クリップを用いた屋根材の設置構造を提供することを目的とする。
【課題を解決するための手段】
【０００８】
請求項１に係る耐風クリップは、屋根材２の上に固定される固定ベース３と、前記屋根材２の上に重ねて設置される他の屋根材２の端縁と係合する係合部５を備える係合具４とで構成される。前記固定ベース３は、固着具挿通孔６が設けられ、且つ前記係合具４を、この係合具４が前記固着具挿通孔６の上方に重ねて配置された状態と、この係合具４が固着具挿通孔６の上方に配置されていない状態との間でスライド自在に支持するものである。前記係合具４は、下面から下方に突出するリブ７を備え、前記リブ７は、係合具４が前記固着具挿通孔６の上方に重ねて配置された状態で固着具挿通孔６と重ならない位置に形成されている。
【０００９】
請求項２に係る発明は、請求項１において、上記係合具４に、この係合具４が上記固着具挿通孔６の上方に重ねて配置された状態で上記固定ベース３の後端に係止される係止部８が設けられている。
【００１０】
請求項３に係る発明は、請求項１又は２に記載の耐風クリップ１を用いた屋根材２の設置構造である。この耐風クリップ１を用いた屋根材２の設置構造では、前記耐風クリップ１の固定ベース３が屋根材２の上面に配置された状態で固着具９が固着具挿通孔６に挿通されると共に屋根材２側に打入されている。また、上記係合具４が前記固着具挿通孔６の上方に配置された状態となることで固着具９が前記係合具４に覆われている。また、前記屋根材２の上に他の屋根材２が耐風クリップ１の上に重ねて設置されると共にこの他の屋根材２の端縁に係合具４の係合部５が係合されている。
【発明の効果】
【００１１】
本発明によれば、耐風クリップ１を用いて屋根材２を設置する際、耐風クリップ１の係合具４が固着具挿通孔６の上方に配置されていない状態とし、この状態で屋根材２ａの上に耐風クリップ１を配置し、固着具挿通孔６に固着具９を挿通して、屋根材２側に固着具９を打入した後、固定ベース３に対して係合部５をスライドさせて、係合具４が前記固着具挿通孔６の上方に重ねて配置された状態とし、次いで、この屋根材２の上に他の屋根材２（屋根材２ｂ）を設置すると共に、この他の屋根材２の端縁に、前記耐風クリップ１の係合部５が係合されるようにすることができ、これにより、耐風クリップ１を固定するための固着具９の頭部９ａは係合具４で覆われて、この耐風クリップ１からは固着具９の頭部９ａが突出せず、屋根材２の設置等を行う作業者が設置済みの屋根材２の上を移動する際に耐風クリップ１が設置されている箇所を踏みしめても、前記固着具９の頭部９ａの突出による応力の集中を防ぐことができて、屋根材２に踏み割れが生じることを抑制することができると共に、係合具４に形成されたリブ７により係合具４の強度を向上して、耐風クリップ１全体の強度を向上し、この耐風クリップ１が係合する屋根材２の浮き上がりを充分に抑制することができるものである。
【００１２】
また、請求項２に係る発明によれば、耐風クリップ１が設置された状態では係合具４のスライド移動が係止部８と固定ベース３の後端縁との係合により阻止されて、係合具４の移動により係合部５と屋根材２の端縁との係合が浅くなることを防止し、屋根材２の浮き上がりを更に抑制することができるものである。
【発明を実施するための最良の形態】
【００１３】
以下、本発明を実施するための最良の形態を説明する。
【００１４】
図３〜５に、耐風クリップ１の例を示す。この耐風クリップ１は、固定ベース３と係合具４とで構成される。固定ベース３と係合具４とは、それぞれ一枚の金属板に打ち抜き加工や曲げ加工を施すことにより形成することができる。
【００１５】
固定ベース３は前後方向に長い矩形平板状に形成されている。この固定ベース３には、その後端部に、上下方向に貫通する固着具挿通孔６が形成された固定部１１が設けられている。この固定部１１の平面視寸法は、耐風クリップ１を固定するための釘やビス等の固着具９の脚部を前記固着具挿通孔６に挿通した場合に、この固着具９の頭部９ａが全て固定部１１上に配置されるような寸法とする。また固定ベース３の両側部には、係合具４を前後方向にスライド自在に支持ずるためのガイド部１２が設けられている。このガイド部１２は、固定ベース３の両側の側縁から上方に略Ｕ字状に屈曲して延出されている。ガイド部１２は図示のように前記固定部１１の両側部には両側部には形成されず、それよりも前方側に両側縁に形成されていることが好ましい。
【００１６】
また、係合具４は、前後方向に長い矩形平板状の被保持部１３の前端側に係合部５を、その後端部に係止部８を設けて形成されている。
【００１７】
被保持部１３には、その下面から下方に突出するリブ７が形成されている。このリブ７は被保持部１３をプレス加工等により屈曲させることで形成することができる。このリブ７は図示のように前後方向に長い凸条として形成されたものを、平行並列に二条形成することが好ましい。このとき二つのリブ７間の寸法は、耐風クリップ１を固定するために用いる釘やビス等の固着具９の頭部９ａの直径よりも大きくなるように形成され、またリブ７の突出寸法は前記固着具９の頭部９ａの高さ寸法と同一又はこれよりも大きくなるように形成される。また、被保持部１３の後端部の両側縁には、外側方に突出するストッパ部１４が形成されている。
【００１８】
ここで、被保持部１３の、前記ストッパ部１４を除く部分の幅方向寸法は、上記固定ベース３における二つのガイド部１２の内側面間の寸法よりも小さく、且つこのガイド部１２の端縁間の寸法よりも大きくなるように形成する。また、被保持部１３の、前記ストッパ部１４が形成されている部分における幅寸法は、上記固定ベース３における二つのガイド部１２の内側面間の寸法よりも大きくなるように形成される。また、この被保持部１３の前後方向の寸法は、上記固定ベース３の前後方向の寸法よりも大きくなるように形成される。
【００１９】
また、係合部５は、被保持部１３の前端縁から上方に向けて延出した軒係合部５ａと、この軒係合部５ａの上端から後方に延出した上係合部５ｂとを備える。
【００２０】
また、係止部８は、被保持部１３の後端縁から下方に略Ｕ字状に屈曲して延出されている。この係止部８は、図５（ａ）に示すように被保持部１３の後端縁の全体に亘って形成しても良いが、好ましくは図５（ｂ）に示すように固定ベース３の後端縁には、固着具挿通孔６の形成位置と合致する位置に、係止部８が形成されない通過部１６を設けることが好ましい。このとき通過部１６の幅寸法は、耐風クリップ１を固定するために用いる固着具９の頭部９ａの直径よりも大きくなるように形成する。
【００２１】
そして、固定ベース３の各ガイド部１２の内側に、係合具４の被保持部１３の両側の端縁を配置することにより、固定ベース３に対して係合具４が前後方向にスライド自在に支持される。これにより、耐風クリップ１が構成される。
【００２２】
この耐風クリップ１は、図４（ａ）のように固定ベース３に対して係合具４を前方側にスライドさせた状態では、ストッパ部１４がガイド部１２の前端に当接して抜け止めがなされる。この状態では、係合部５の被保持部１３は固定ベース３の固定部１１よりも前方に配置され、この固定部１１が露出した状態となる。
【００２３】
このような状態から、図４（ｂ）に示すように固定ベース３に対して係合具４を後方側にスライドさせると、係止部８が固定ベース３の上面に摺接しながら後方に移動し、この係止部８が固定ベース３の固定部１１の後端縁に到達すると、係止部８が前記固定ベース３の後端縁に係止される。この状態では、固定ベース３の固定部１１の上面には、係止具の被保持部１３が重ねられる。このとき、固定部１１上の固着具挿通孔６の両側に二つのリブ７が配置され、このリブ７の間には、耐風クリップ１を固定するための固着具９の頭部９ａが配置可能な空間１５が形成される（図５（ｃ）参照）。ここで、係止部８が前記固定ベース３の後端縁に係止されるためには、例えば図４（ａ）に示す状態で係止部８が弾性力により上下方向に縮められた状態から、図４（ｂ）に示す状態で前記弾性変形が開放されて係止部８が上下方向に広がるように係止部８を形成することができる。また、ガイド部１２の上下方向寸法に余裕を持たせることにより、係止部８が固定ベース３の後端縁に係止されることで係合具４と固定ベース３との間の寸法が小さくなっても、頭部９ａが充分に配置可能な空間１５が形成されるようにしても良い。
【００２４】
この耐風クリップ１を用いた屋根材２の設置例を図１及び図２に示す。
【００２５】
図示の屋根材２は、図示のように平板状であり、且つ、この屋根材２には、軒棟方向と直交する方向に並ぶ四個の固着孔１０が設けられている。図示の屋根材２は棟側端縁が山形状に形成された平面視五角形状であるが、屋根材２の形状は特にこのものに限られない。この屋根材２は、屋根下地上に配置された状態で、前記固着孔１０を通して屋根下地に釘やビス等の固着具９を打入することにより、屋根下地上に設置される。この屋根材２は、屋根下地上に、軒側の屋根材２の棟側部分の上に棟側の屋根材２の軒側部分を重ねながら軒側から棟側へ向けて順次葺き上げるようにして、設置される。このとき、軒棟方向に直交する方向に並ぶ複数の屋根材２が、軒棟方向に沿って複数列設置され、且つ、一列おきに列内の屋根材２の配置位置を横方向に屋根材２の半個分の寸法だけずらして、千鳥状に配置される。
【００２６】
このように屋根材２を設置するにあたり、耐風クリップ１を設置する場合は、耐風クリップ１を、固定ベース３に対して係合具４が前方側にスライドして固定部１１が露出した状態としておく。そして、図１（ａ）及び図２（ａ）に示すように、屋根材２（屋根材２ａ）を固着具９で固定する際に、前記屋根材２の内側の二つの固着孔１０と前記耐風クリップ１の固着具挿通孔６とを位置合わせして、この屋根材２ａの上に耐風クリップ１を配置し、固着具挿通孔６と固着孔１０に固着具９の脚部９ｂを挿通して、屋根下地に固着具９を打入する。このとき、固定部１１が係合具４にて覆われておらず、またこの固定部１１は補強用のリブ７等が設けられないれていない平板状のものであり、更にこの固定部１１の両側にはガイド部１２が設けられていないため、ハンマー等を用いた固着具９の打入作業が容易なものとなる。このように固着具９を打入した状態では、この固着具９の頭部９ａが前記固定部１１上に配置される。
【００２７】
次に、図１（ｂ）及び図２（ｂ）に示すように、固定ベース３に対して係合部５を後方に向けてスライドさせる。このとき係止部８は固定ベース３の上面を摺接し、固定ベース３の後端縁に到達するとこの後端縁に係止される。ここで、図５（ａ）に示すように係合具４の被保持部１３の後端縁に通過部１６が設けられていない場合、係止部８が固定部１１上の固着具９の頭部９ａが配置されている箇所を通過する際には、係止部８は弾性変形しながらこの頭部９ａを乗り越えて後方に移動することができる。また、係合具４の被保持部１３の後端縁に図５（ｂ）に示すように通過部１６が設けられている場合には、係止部８が固定部１１上の固着具９の頭部９ａが配置されている箇所を通過する際は、通過部１６が形成されている箇所が頭部９ａを通過し、係止部８は前記頭部９ａの両側を通過することとなって、係合具４のスライド移動が更にスムーズになる。
【００２８】
このように係合具４を移動させると、係合具４の被保持部１３が固着具９の頭部９ａの上面側に重ねられ、被保持部１３にて固着具９の頭部９ａが覆われる。またこのとき固着具９の頭部９ａは固定ベース３の固定部１１と係合部５の被保持部１３との間において、二つのリブ７の間の形成された空間１５内に配置される。
【００２９】
このようにして、屋根材２ａを一列に設置すると共に耐風クリップ１を設置した後、図１（ｃ）及び図２（ｃ）に示すように、次の列に配置される他の屋根材２（屋根材２ｂ）を、設置済みの屋根材２ａの棟側部分の上に前記他の屋根材２ｂの軒側部分が重なるように配置し、この状態で他の屋根材２ｂの固着孔１０を通して釘等の固着具９を屋根下地に打入する。このとき上記屋根材２ａを設置する場合と同様に、耐風クリップ１も設置する。
【００３０】
上記のように他の屋根材２ｂを設置した際、この他の屋根材２ｂの軒側部分は、屋根材２ａに設置した耐風クリップ１に重ねられ、且つこの他の屋根材２ｂの軒側端縁に、前記耐風クリップ１の係合部５が係合されるようにする。
【００３１】
このような作業を繰り返すことにより、屋根材２の設置と耐風クリップ１の設置とを行うことができる。
【００３２】
このようにして屋根材２及び耐風クリップ１を設置すると、耐風クリップ１を固定するための固着具９の頭部９ａは係合具４の被保持部１３で覆われ、この被保持部１３に他の屋根材２が重ねられることとなる。このため、耐風クリップ１からは固着具９の頭部９ａが突出せず、屋根材２の設置等を行う作業者が設置済みの屋根材２の上を移動する際に耐風クリップ１が設置されている箇所を踏みしめても、前記固着具９の頭部９ａの突出による応力の集中を防ぐことができ、屋根材２に踏み割れが生じることを抑制することができる。
【００３３】
また、係合具４は係止部８にて固定ベース３に係止されているため、係合具４が前方に突出して係合部５と屋根材２の端縁との係合が浅くなることを防止することができ、この耐風クリップ１が係合する屋根材２の浮き上がりを充分に抑制することができる。
【００３４】
また、係合具４の被保持具にリブ７が設けられているため、この係合具４の被保持部１３と固定ベース３の固定部１１との間に固着具９の頭部９ａが配置されるべき隙間を確保することができと共に、このリブ７により係合具４の強度を向上して耐風クリップ１全体の強度を向上し、この耐風クリップ１が係合する屋根材２の浮き上がりを更に抑制することができる。
【図面の簡単な説明】
【００３５】
【図１】耐風クリップを用いた屋根材の設置工程の一例を示すものであり、（ａ）乃至（ｃ）は断面図である。
【図２】（ａ）乃至（ｃ）は同上の平面図である。
【図３】（ａ）は耐風クリップを示す分解斜視図、（ｂ）は耐風クリップを示す斜視図である。
【図４】（ａ）及び（ｂ）は耐風クリップの一例を示す平面図である。
【図５】（ａ）は通過部を設けない場合の耐風クリップの例の背面図、（ｂ）は通過部を設ける場合の耐風クリップの例の背面図、（ｃ）は耐風クリップの断面図である。
【図６】従来技術を示すものであり、（ａ）乃至（ｃ）は平面図である。
【符号の説明】
【００３６】
１  耐風クリップ
２  屋根材
３  固定ベース
４  係合具
５  係合部
６  固着具挿通孔
７  リブ
８  係止部
９  固着具
【図１】
2009161952.tif 000003
【図２】
2009161952.tif 000004
【図３】
2009161952.tif 000005
【図４】
2009161952.tif 000006
【図５】
2009161952.tif 000007
【図６】
2009161952.tif 000008